(57)【要約】【課題】記憶媒体を有効活用するとともに複数の記憶媒体にまたがって記録される１つの情報を意味のある位置で自動的に分割することが可能な情報処理装置を提供する。【解決手段】本発明の情報処理装置１は、記憶媒体に対して新たに情報を記録可能な残存時間を取得する残存時間取得部１５２と、記憶媒体に記録する１または２以上のコンテンツの各再生時間を取得する再生時間取得部１５４と、残存時間と１のコンテンツの再生時間とを比較する比較部１５６と、１のコンテンツの再生時間が残存時間より大きい場合に、コンテンツの特徴点を分割点とする分割点決定部１５８と、コンテンツが再生される再生開始点から分割点までを記憶媒体に記録する記録部１６０とを備える。【選択図】図２
2009272700.tif 000002
【特許請求の範囲】
【請求項１】
記憶媒体に対して新たに情報を記録することの可能な残存時間を取得する残存時間取得部と、
前記記憶媒体に記録する１または２以上のコンテンツの各再生時間を取得する再生時間取得部と、
前記残存時間と１の前記コンテンツの再生時間とを比較する比較部と、
前記１のコンテンツの再生時間が前記残存時間より大きい場合に、前記コンテンツの特徴点を分割点とする分割点決定部と、
前記コンテンツが再生される再生開始点から前記分割点までを前記記憶媒体に記録する記録部と、
を備える、情報処理装置。
【請求項２】
前記分割点決定部は、前記記憶媒体の最大記録時間から遡って前記最大記録時間に最も近い前記特徴点を前記分割点として決定する、請求項１に記載の情報処理装置。
【請求項３】
前記分割点決定部は、前記記憶媒体の最大記録時間から所定時間だけ遡った分割期待範囲内に存在する前記特徴点を前記分割点として決定する、請求項２に記載の情報処理装置。
【請求項４】
前記分割点決定部は、前記分割期待範囲内に前記特徴点が存在しない場合、前記分割期待範囲に最も近くに存在する前記特徴点を前記分割点として決定する、請求項３に記載の情報処理装置。
【請求項５】
前記コンテンツ内において内容が変化する位置を解析する解析部をさらに備え、
前記解析部は、解析した前記コンテンツ内の内容が変化する位置を特徴点として設定する、請求項１に記載の情報処理装置。
【請求項６】
前記特徴点は、予め前記コンテンツに対してユーザが設定したチャプター点である、請求項１に記載の情報処理装置。
【請求項７】
前記特徴点は、前記コンテンツにおいて少なくとも画像または音声が大きく変化するシーンチェンジ点である、請求項１に記載の情報処理装置。
【請求項８】
前記特徴点は、前記コンテンツの主情報以外の情報である付属情報の区間内の点である、請求項１に記載の情報処理装置。
【請求項９】
記憶媒体に対して新たに情報を記録することの可能な残存時間を取得する残存時間取得ステップと、
前記記憶媒体に記録する１または２以上のコンテンツの各再生時間を取得する再生時間取得ステップと、
前記残存時間と１の前記コンテンツの再生時間とを比較する比較ステップと、
前記１のコンテンツの再生時間が前記残存時間より大きい場合に、前記コンテンツの特徴点を分割点とする分割点決定ステップと、
前記コンテンツが再生される再生開始点から前記分割点までを前記記憶媒体に記録する記録ステップと、
を備える、情報処理方法。
【請求項１０】
コンピュータを、
記憶媒体に対して新たに情報を記録することの可能な残存時間を取得する残存時間取得手段と、
前記記憶媒体に記録する１または２以上のコンテンツの各再生時間を取得する再生時間取得手段と、
前記残存時間と１の前記コンテンツの再生時間とを比較する比較手段と、
前記１のコンテンツの再生時間が前記残存時間より大きい場合に、前記コンテンツの特徴点を分割点とする分割点決定手段と、
前記コンテンツが再生される再生開始点から前記分割点までを前記記憶媒体に記録させる記録手段と、
として機能させるためのコンピュータプログラム。
【発明の詳細な説明】
【技術分野】
【０００１】
本発明は、情報処理装置、情報処理方法およびコンピュータプログラムに関し、より詳細には、コンテンツを記憶媒体に記録することの可能な情報処理装置、情報処理方法およびコンピュータプログラムに関する。
【背景技術】
【０００２】
近年、パーソナルコンピュータ等の情報処理装置を用いてテレビ番組やネットワーク網を介してストリーミング配信されるストリーミングビデオ等のコンテンツを視聴、録画することができる。録画されたコンテンツは、情報処理装置に備えられたＨＤＤ（Ｈａｒｄ  Ｄｉｓｋ  Ｄｒｉｖｅ）等の記憶媒体に記憶されるが、その容量には限界があり、また、録画したコンテンツを他の機器で再生するために、例えばＣＤ−Ｒ（Ｃｏｍｐａｃｔ  Ｄｉｓｋ  Ｒｅｃｏｒｄａｂｌｅ）やＤＶＤ−Ｒ（Ｄｉｇｉｔａｌ  Ｖｅｒｓａｔｉｌｅ  Ｄｉｓｋ  Ｒｅｃｏｒｄａｂｌｅ）、ＢＤ（Ｂｌｕ−ｒａｙ（登録商標）  Ｄｉｓｃ）等のリムーバブルディスク等の記憶媒体に書き出すことが可能である。
【０００３】
情報処理装置の記憶媒体（例えば、ＨＤＤ）に記録された情報を他の記憶媒体（例えばＢＤ）へ記録する場合、記録する情報の容量の大きさから１つの記憶媒体に収めることができない場合がある。この場合、一部の情報は分割されて２つの記憶媒体にまたがって記録される。
【０００４】
このように情報を分割して記憶媒体に記録するとき、記憶媒体を有効活用するため、１つの記憶媒体にはなるべく多くの情報が記録されることが望ましい。一方で、情報の内容から区切りのよい位置で分割されるのが望ましい。このような理由から、記憶媒体に最大容量まで記録した位置に分割点を設定したり、ユーザが例えばコンテンツをみながら任意の位置に分割点を設定したりしている（例えば、特許文献１〜３）。
【０００５】
【特許文献１】特開２０００−２３０７６号公報
【特許文献２】特開２００４−１２７４７０号公報
【特許文献３】特開２００６−１７２６５６号公報
【発明の開示】
【発明が解決しようとする課題】
【０００６】
ここで、特許文献１のように記憶媒体の最大容量まで情報を記録した位置に分割点を設定する場合、コンテンツの内容からユーザの意図に沿わない位置に分割点が設定されてしまうという問題があった。
【０００７】
また、特許文献２、３のようにユーザが設定した任意の点で情報を分割する場合、ユーザの意図に沿った適切な位置で情報を分割することができる。しかし、ユーザがコンテンツの内容を確認しながら分割点を決定するため、手間がかかるという問題があった。
【０００８】
そこで、本発明は、上記問題に鑑みてなされたものであり、本発明の目的とするところは、記憶媒体を有効活用するとともに複数の記憶媒体にまたがって記録される１つの情報を意味のある位置で自動的に分割することが可能な、新規かつ改良された情報処理装置、情報処理方法およびコンピュータプログラムを提供することにある。
【課題を解決するための手段】
【０００９】
上記課題を解決するために、本発明のある観点によれば、記憶媒体に対して新たに情報を記録することの可能な残存時間を取得する残存時間取得部と、記憶媒体に記録する１または２以上のコンテンツの各再生時間を取得する再生時間取得部と、残存時間と１のコンテンツの再生時間とを比較する比較部と、１のコンテンツの再生時間が残存時間より大きい場合に、コンテンツの特徴点を分割点とする分割点決定部と、コンテンツが再生される再生開始点から分割点までを記憶媒体に記録する記録部とを備える、情報処理装置が提供される。
【００１０】
コンテンツを記憶媒体に記録する場合に、コンテンツデータの大きさにより１つの記憶媒体に収めることができないことがある。本発明によれば、このような場合、コンテンツの内容に特徴のある位置（特徴点）でコンテンツを分割する。これにより、新たな記憶媒体にはコンテンツの内容において意味のある位置からコンテンツデータが記録されるので、複数の記憶媒体にまたがって記録されるコンテンツを管理し易く、視聴する際にもコンテンツの続きを違和感なく視聴することができる。
【００１１】
ここで、分割点決定部は、記憶媒体の最大記録時間から遡って最大記録時間に最も近い特徴点を前記分割点として決定することができる。これにより、１つの記憶媒体になるべく多くの情報を記録することができる。
【００１２】
また、分割点決定部は、記憶媒体の最大記録時間から所定時間だけ遡った分割期待範囲内に存在する特徴点を分割点として決定するようにしてもよい。分割期待範囲は、記憶媒体に情報を記録する場合に最大限許容される空き領域の大きさである。分割期待範囲内に存在する特徴点から分割点を決定することにより、記憶媒体の空き領域を減少させることができ、記憶媒体を有効活用することができる。ここで、分割期待範囲内に特徴点が存在しない場合、分割点決定部は、分割期待範囲に最も近くに存在する特徴点を分割点として決定することができる。
【００１３】
本発明の情報処理装置は、コンテンツ内において内容が変化する位置を解析する解析部をさらに備えることもできる。解析部は、解析したコンテンツ内の内容が変化する位置を特徴点として設定する。解析部によりコンテンツの内容の変化する位置を解析して特徴点を抽出することにより、ユーザが特徴点を設定する手間を省くことができる。
【００１４】
ここで、特徴点は、例えば、予めコンテンツに対してユーザが設定したチャプター点であってもよく、コンテンツにおいて少なくとも画像または音声が大きく変化するシーンチェンジ点であってもよく、コンテンツの主情報以外の情報である付属情報の区間内の点であってもよい。
【００１５】
また、上記課題を解決するために、本発明の別の観点によれば、記憶媒体に対して新たに情報を記録することの可能な残存時間を取得する残存時間取得ステップと、記憶媒体に記録する１または２以上のコンテンツの各再生時間を取得する再生時間取得ステップと、残存時間と１のコンテンツの再生時間とを比較する比較ステップと、１のコンテンツの再生時間が残存時間より大きい場合に、コンテンツの特徴点を分割点とする分割点決定ステップと、コンテンツが再生される再生開始点から分割点までを記憶媒体に記録する記録ステップとを備える、情報処理方法が提供される。
【００１６】
さらに、上記課題を解決するために、本発明の別の観点によれば、コンピュータに上記の情報処理装置として機能させるコンピュータプログラムが提供される。コンピュータプログラムは、コンピュータが備える記憶装置に格納され、コンピュータが備えるＣＰＵに読み込まれて実行されることにより、そのコンピュータを上記の情報処理装置として機能させる。また、コンピュータプログラムが記録された、コンピュータで読み取り可能な記憶媒体も提供される。記憶媒体は、例えば、磁気ディスク、光ディスクなどである。
【発明の効果】
【００１７】
以上説明したように本発明によれば、記憶媒体を有効活用するとともに複数の記憶媒体にまたがって記録される１つの情報を意味のある位置で自動的に分割することが可能な情報処理装置、情報処理方法およびコンピュータプログラムを提供することができる。
【発明を実施するための最良の形態】
【００１８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１９】
（第１の実施形態）
まず、図１に基づいて、本発明の第１の実施形態にかかる情報処理装置１のハードウェア構成について説明する。なお、図１は、本実施形態にかかる情報処理装置１のハードウェア構成を示すブロック図である。本実施形態にかかる情報処理装置１は、例えばパーソナルコンピュータや、ＨＤＤおよびＤＶＤ記録機能を有するデジタル録画装置等であって、テレビ番組やストリーミングビデオ等を視聴、録画可能な装置である。
【００２０】
＜情報処理装置のハードウェア構成＞
本実施形態にかかる情報処理装置１は、図１に示すように、ＣＰＵ（Ｃｅｎｔｒａｌ  Ｐｒｏｃｅｓｓｉｎｇ  Ｕｎｉｔ）１０１と、ＲＯＭ（Ｒｅａｄ  Ｏｎｌｙ  Ｍｅｍｏｒｙ）１０２と、ＲＡＭ（Ｒａｎｄｏｍ  Ａｃｃｅｓｓ  Ｍｅｍｏｒｙ）１０３と、ホストバス１０４ａと、ブリッジ１０４ｂと、外部バス１０４ｃと、インタフェース１０４ｄと、ドライブ１０５と、入力手段１０６と、出力手段１０７と、ストレージ（ＨＤＤ）１０８と、通信手段１０９とを備える。
【００２１】
ＣＰＵ１０１は、演算処理装置および制御装置として機能し、各種プログラムに従って情報処理装置１内の動作全般を制御する。また、ＣＰＵ１０１は、マイクロプロセッサであってもよい。ＲＯＭ１０２は、ＣＰＵ１０１が使用するプログラムや演算パラメータ等を記憶する。ＲＡＭ１０３は、ＣＰＵ１０１の実行において使用するプログラムや、その実行において適宜変化するパラメータ等を一次記憶する。これらはＣＰＵバスなどから構成されるホストバス１０４ａにより相互に接続されている。
【００２２】
ホストバス１０４ａは、ブリッジ１０４ｂを介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス１０４ｃに接続されている。なお、必ずしもホストバス１０４ａ、ブリッジ１０４ｂおよび外部バス１０４ｃを分離構成する必要はなく、１つのバスにこれらの機能を実装してもよい。
【００２３】
ドライブ１０５は、記憶媒体に対して情報の読み書きを行う装置である。本実施形態にかかるドライブ１０５は、ドライブ１０５に対して着脱可能な記憶媒体に対して情報を録したり再生したりする。このようなドライブ１０５としては、例えば、ＣＤ−ＲＯＭ（Ｃｏｍｐａｃｔ  Ｄｉｓｋ  Ｒｅａｄ  Ｏｎｌｙ  Ｍｅｍｏｒｙ）ドライブやＤＶＤドライブ等がある。
【００２４】
入力手段１０６は、例えば、ユーザが情報を入力するための指示操作部や、ユーザによる入力に基づいて入力信号を生成し、ＣＰＵ１０１に出力する入力制御回路などから構成されている。指示操作部は、例えば、マウス、キーボード、タッチパネル、ボタン、マイク、スイッチおよびレバーなどを用いることができる。情報処理装置１のユーザは、該入力手段１０６を操作することにより、情報処理装置１に対して各種のデータを入力したり処理動作を指示したりすることができる。
【００２５】
出力手段１０７は、例えば、表示部や音声出力部などから構成される。表示部は、例えばＣＲＴ（Ｃａｔｈｏｄｅ  Ｒａｙ  Ｔｕｂｅ）ディスプレイ装置、液晶ディスプレイ（ＬＣＤ;Ｌｉｑｕｉｄ  Ｃｒｙｓｔａｌ  Ｄｉｓｐｌａｙ）装置およびランプなどを用いることができる。また、音声出力部には、スピーカやヘッドホンなどを用いることができる。出力手段１０７は、例えば、音声出力部により、再生された音声データ等を音声に変換して出力する。出力手段１０７は、必ずしも情報処理装置１と一体に形成されなくともよく、情報処理装置１と外部接続されていてもよい。
【００２６】
ストレージ１０８は、本実施形態にかかる情報処理装置１の記憶部の一例として構成されたデータ格納部である。ストレージ１０８は、例えば記憶媒体、記憶媒体にデータを記録する記録部、記憶媒体からデータを読み出す読出し部および記憶媒体に記録されたデータを削除する削除部などを含むことができる。ストレージ１０８は、例えば、ＨＤＤで構成される。ストレージ１０８は、ハードディスクを駆動し、ＣＰＵ１０１が実行するプログラムや各種データ、コンテンツデータ等を格納する。なお、当該ストレージ１０８または記憶媒体は、情報処理装置１と着脱可能であってもよい。
【００２７】
通信手段１０９は、例えば、外部機器（図示せず。）と通信接続するための通信デバイス等で構成された通信インタフェースである。通信手段１０９は、例えば、Ｂｌｕｅｔｏｏｔｈ（登録商標）や無線ＬＡＮ、ワイヤレスＵＳＢに対応した通信部であってもよく、有線による通信を行う通信部であってもよい。通信手段１０９は、外部機器とコンテンツデータを送受信することができ、また、通信網２００を介してネットワークからコンテンツデータを送受信することができる。
【００２８】
以上、本実施形態にかかる情報処理装置１のハードウェア構成について説明した。本実施形態にかかる情報処理装置１は、テレビ番組やストリーミング配信されたストリーミングビデオ等を装置内の記憶媒体（例えばストレージ１０８）に記憶することができる。ここで、情報処理装置１は、装置内の記憶媒体に記憶されたコンテンツデータを別の記憶媒体に記憶するときに、記憶媒体になるべく多くのコンテンツデータを記録し、かつコンテンツデータが分割される場合には内容の区切りのよい位置で分割することを特徴とする。以下、図２に基づいて、本実施形態にかかる情報処理装置１の、コンテンツデータを記憶媒体へ記録する番組記録処理を行う情報処理部１００について説明する。なお、図２は、本実施形態にかかる番組記録処理を行う情報処理部１００の構成を示す機能ブロック図である。
【００２９】
＜番組記録処理を行う情報処理部の構成＞
番組記録処理を行う情報処理部１００は、図２に示すように、番組録画部１１０と、番組編集部１２０と、解析部１３０と、入力部１４０と、記録制御部１５０と、記録部１６０と、録画情報記憶部１７０とから構成される。
【００３０】
番組録画部１１０は、テレビ番組やストリーミングビデオ等のコンテンツデータを録画する処理部である。番組録画部１１０は、録画指示に基づいて所定のコンテンツを記憶媒体である録画情報記憶部１７０へ記録する。このとき、番組録画部１１０は、例えば録画するコンテンツデータの映像データ、再生時間などを録画情報記憶部１７０に記録する。
【００３１】
番組編集部１２０は、コンテンツデータの編集を行う処理部である。番組編集部１２０は、録画情報記憶部１７０に記憶されたコンテンツデータを編集するため、当該コンテンツデータの映像データを再生することができる。ユーザは、例えば、番組編集部１２０により再生されたコンテンツデータを参照してコンテンツデータの総時間内の任意の位置にチャプター点を設定する。番組編集部１２０は、ユーザにより設定されたチャプター点を後述する録画情報記憶部１７０に記録する。
【００３２】
解析部１３０は、コンテンツデータから特徴点を解析する処理部である。解析部１３０は、コンテンツデータの映像データから例えばシーンチェンジ点やＣＭ区間等の大きな変化のある箇所を特徴点として抽出する。解析部１３０は、抽出した特徴点に関する情報を後述する録画情報記憶部１７０に記録する。
【００３３】
入力部１４０は、ユーザがコンテンツデータの番組記録処理を行う際に必要な情報を入力する機能部である。入力部１４０は、図１の入力手段１０６により構成することができ、例えばマウス、キーボード、タッチパネル、ボタン、マイク、スイッチおよびレバーなどを用いることができる。ユーザは、入力部１４０から記憶媒体への記録指示や記憶媒体に記録するものとして選択されたコンテンツデータの選択情報、チャプター点の設定情報等を入力する。入力部１４０は、記憶媒体への記録指示や選択されたコンテンツデータの選択情報等を記録制御部１５０へ出力する。また、入力部１４０は、番組編集部１２０を介してチャプター点の設定情報を録画情報記憶部１７０に記録する。
【００３４】
記録制御部１５０は、装置内の記憶媒体（後述する録画情報記憶部１７０）から別の記憶媒体に対してコンテンツデータを記録する際に記録するデータの処理を行う制御部である。記録制御部１５０は、１つの記憶媒体へなるべく多くのコンテンツデータを記録し、かつ１つのコンテンツデータが複数の記憶媒体にまたがって記録される場合には意味のある位置で分割するように制御する。本実施形態にかかる記録制御部１５０は、図１のＣＰＵ１０１において実現することができ、図２に示すように、残存時間取得部１５２と、再生時間取得部１５４と、比較部１５６と、分割点決定部１５８とを備えて構成される。
【００３５】
残存時間取得部１５２は、コンテンツデータが記録される記憶媒体の、コンテンツデータを記録することの可能な残存時間を取得する処理部である。残存時間取得部１５２は、コンテンツデータが記録される記憶媒体から残存時間を取得し、再生時間取得部１５４へ出力する。
【００３６】
再生時間取得部１５４は、記憶媒体へ記録するコンテンツデータの再生時間を取得する処理部である。再生時間取得部１５４は、記憶媒体へ記録するコンテンツデータの再生時間を録画情報記憶部１７０から取得し、比較部１５６へ出力する。
【００３７】
比較部１５６は、記憶媒体へ記録するコンテンツデータが１つの記憶媒体に記録可能であるか否かを判定する処理部である。比較部は、残存時間取得部１５２により取得した残存時間と再生時間取得部１５４により取得したコンテンツデータの再生時間とを比較して、当該コンテンツデータが１つの記憶媒体内に記録可能か否かを判定する。比較部１５６は、判定した結果に応じて、判定結果を残存時間取得部１５２または分割点決定部１５８へ出力する。
【００３８】
分割点決定部１５８は、複数の記憶媒体にまたがって記録されるコンテンツデータの分割点を決定する処理部である。分割点決定部１５８は、録画情報記憶部１７０に記憶されたチャプター点やシーンチェンジ点、ＣＭ区間等の特徴点に基づいて、分割点を決定する。分割点決定部１５８は、決定した分割点を記録部１６０へ出力する。
【００３９】
記録部１６０は、記憶媒体への記録対象であるコンテンツデータを記憶媒体へ記録する。記録部１６０は、例えば図１のドライブ１０５により実現される光学ドライブの光ピックアップ等であって、コンテンツデータを例えばＣＤ−Ｒ、ＤＶＤ−Ｒ、ＢＤ等の記憶媒体へ記録する。
【００４０】
録画情報記憶部１７０は、番組録画部１１０により録画されたコンテンツデータに関する情報を記憶する記憶部であって、例えばＲＡＭやハードディスク等のメモリを含んで構成される。録画情報記憶部１７０は、例えばコンテンツデータの映像データとコンテンツデータの再生時間、ＣＭ区間、シーンチェンジ点、チャプター点等とを関連付けて記憶する。コンテンツデータの再生時間はその時間（長さ）で表すことができ、ＣＭ区間はＣＭの開始点および終了点により表すことができる。また、シーンチェンジ点やチャプター点は、映像データの総時間における時刻により表すことができる。なお、ＣＭ区間、シーンチェンジ点、チャプター点は、１つのコンテンツデータに対して１または２以上の情報を記憶することができる。
【００４１】
以上、本実施形態にかかる番組記録処理を行う情報処理部１００について説明した。本実施形態の情報処理部１００は、記録制御部１５０によりユーザが設定したチャプター点に基づいて分割点を決定することを特徴とする。そこで、図３および図４に基づいて、本実施形態にかかる情報処理部１００による番組記録処理について説明する。なお、図３は、本実施形態にかかる情報処理部１００による番組記録処理を示すフローチャートである。図４は、本実施形態にかかる情報処理部１００による番組記録処理を説明する説明図である。
【００４２】
＜番組記録処理＞
本実施形態にかかる情報処理装置１にて録画されたコンテンツデータを記憶媒体へ記録するため、まず、ユーザは、録画されたコンテンツデータから記憶媒体へ記録する１または２以上のコンテンツデータを選択する。そして、選択されたテコンテンツデータを記憶媒体へ記録する記録指示が入力部１４０から入力されると、本実施形態にかかる情報処理部１００による番組記録処理が開始される。
【００４３】
本実施形態にかかる情報処理部１００による番組記録処理は、図３に示すように、まず、先頭コンテンツの再生時間を取得する（ステップＳ１００）。再生時間取得部１５４は、ユーザが記憶媒体に記録するものとして選択したコンテンツデータのうち、最初に記憶媒体へ記録するコンテンツデータの再生時間を録画情報記憶部１７０から取得する。
【００４４】
次いで、記憶媒体に記録するコンテンツデータのチャプター点を取得する（ステップＳ１０２）。チャプター点は、ユーザがコンテンツデータを編集する際に付した印である。例えば、ユーザは、コンテンツデータの画像データを再生しながら、シーンを飛ばしたときに次に再生を開始する再生開始位置にチャプター点を設定する。このように、チャプター点は、コンテンツデータを記憶媒体に記録するに際してデータを分割ために設定されたものではなく、他の用途のために設定されたものである。コンテンツデータを分割するために設定された点ではなくとも、ユーザが意図して設定した点にはそのコンテンツデータにおいて意味のあるものと考えられる。本実施形態では、コンテンツデータの記録を行う前にコンテンツの編集等の他の処理において設定されたチャプター点を特徴点として利用する。
【００４５】
番組編集部１２０は、コンテンツデータにおけるチャプター点の位置を例えばコンテンツデータの再生開始位置からの経過時間によって表し、録画情報記憶部１７０に記録している。残存時間取得部１５２は、録画情報記憶部１７０から記憶媒体に記録するコンテンツデータのチャプター点を取得する。そして、今点を最初に記憶媒体に録画するコンテンツデータの先頭に設定する（ステップＳ１０４）。
【００４６】
さらに、コンテンツデータの再生時間が記憶媒体の残存時間より大きいか否かを判定する（ステップＳ１０６）。再生時間取得部１５４は、ステップＳ１００にて録画情報記憶部１７０から当該コンテンツデータの再生時間を取得する。そして、比較部１５６は、残存時間取得部１５２により取得した残存時間と再生時間取得部１５４により取得したコンテンツデータの再生時間とを比較する。すなわち、ステップＳ１０６では、当該コンテンツデータが複数の記憶媒体にまたがって記録されるか否かを判定する。
【００４７】
ステップＳ１０６にて再生時間が残存時間以内であると判定した場合には、現在のコンテンツデータの再生時間を残存時間から除算した時間を新たな残存時間として設定する（ステップＳ１０８）。そして、次に記憶媒体に記録するコンテンツデータが存在するか否かを判定する（ステップＳ１１０）。次のコンテンツデータが存在する場合には、今点を次のコンテンツデータの先頭に設定し（ステップＳ１１２）、ステップＳ１０６の処理へ戻る。一方、次のコンテンツデータが存在しない場合には、処理を終了する。
【００４８】
ステップＳ１０６にて再生時間が残存時間より大きい場合には、記憶媒体内に当該コンテンツデータを収めることができないため、コンテンツデータを分割する位置を示す分割点を設定する（ステップＳ１１４）。本実施形態において、分割点はコンテンツデータの特徴点であるチャプター点から決定される。チャプター点に分割点を設定することにより、コンテンツデータをユーザにとって意味のある位置で分割することができる。このとき、記憶媒体の残存時間の終了点から遡って終了点に最も近いチャプター点を分割点として決定する。これにより、記憶媒体になるべく多くの情報を記憶することができ、記憶媒体を有効活用することができる。
【００４９】
その後、決定した分割点を今点に設定する（ステップＳ１１６）。そして、次の記憶媒体の書き込み可能時間を残存時間に設定し、ステップＳ１０６の処理へ戻る。このとき、ステップＳ１０６では、分割されたテレビ番組のうち先の記憶媒体に記録されなかった部分の再生時間と次の記憶媒体の残存時間とを比較し、再生時間が残存時間内に収まるか否かを判定することになる。このように、ステップＳ１００〜Ｓ１１８の処理を行うことにより、１または２以上のコンテンツデータを記憶媒体に効率よく記録することができ、複数の記憶媒体にまたがって記録される場合にもコンテンツデータをユーザにとって意味のある位置で自動的に分割することができる。
【００５０】
以上、本実施形態にかかる情報処理部１００による番組記録処理について説明した。ここで、本実施形態の番組記録処理についての一例を図４に示す。図４に示すように、コンテンツデータとして２つのテレビ番組（番組Ａおよび番組Ｂ）を記憶媒体である例えば光ディスクに記録する場合を考える。まず、１枚目の光ディスクの書き込み可能時間を残存時間とし、２つの番組のうち最初に光ディスクへ記録する番組Ａの再生時間を取得する。このとき、番組Ａの再生時間と光ディスクの残存時間とを比較すると、番組Ａの再生時間は残存時間よりも小さいため、番組Ａは１枚目の光ディスクにすべて記録できることがわかる。したがって、１枚目の光ディスクの残存時間を元の残存時間から番組Ａの再生時間を除算した時間に設定し、光ディスクに記録する次の番組Ｂの先頭を今点として、光ディスクの残存時間と番組Ｂの再生時間とを比較する。
【００５１】
番組Ｂの再生時間と光ディスクの残存時間とを比較すると、番組Ｂの再生時間は残存時間より大きいため、番組Ｂは１枚目の光ディスクにすべて記録できない。このため、番組Ｂを分割する分割点が決定される。ここで、本実施形態においては記憶媒体の残存時間の終了点から遡って最も近いチャプター点を分割点として決定するところ、図４に示すように、番組Ｂには４つのチャプター点が存在しており、このうちチャプター点Ａ〜Ｃが光ディスクの残存時間内に存在している。この場合、本実施形態にかかる情報処理部１００の番組記録処理により、終了点から遡って最も近いチャプター点であるチャプター点Ｃが分割点に決定される。これにより、１枚目の光ディスクになるべく多くの情報を記録することができる。また、ユーザが意図して設定したチャプター点において番組Ｂを分割することができる。
【００５２】
番組Ｂをチャプター点Ｃで分割することにより、１枚目の光ディスクには番組Ａのすべてと番組Ｂの再生開始位置からチャプター点Ｃの直前までが記録される。１枚目の光ディスクへの記録が終了すると、例えば光ディスクがドライブから排出され、ユーザに次のディスクの挿入を要求する。そして、２枚目の光ディスクが挿入されると、２枚目の光ディスクの残存時間に対して番組Ｂのチャプター点Ｃから再生終了位置までの再生時間が収まるか否かを判定する。番組Ｂのチャプター点Ｃから再生終了位置までの再生時間が２枚目の光ディスクの残存時間より小さい場合には、番組Ｂのチャプター点Ｃから再生終了位置までは２枚目の光ディスクに記録される。番組Ｂのチャプター点Ｃから再生終了位置までの再生時間が２枚目の光ディスクの残存時間より大きい場合には、同様に分割点を決定する処理を行う。
【００５３】
以上、第１の実施形態にかかる情報処理装置１およびコンテンツデータを記憶媒体に記録する番組記録処理について説明した。本実施形態によれば、複数の記憶媒体にまたがって記録されるコンテンツデータの分割点をチャプター点に設定する。このとき、記憶媒体の残存時間の終了点から遡って最も近い位置に存在するチャプター点を分割点とする。これにより、記憶媒体を有効活用することができ、かつユーザの意図が反映された位置で分割することができる。
【００５４】
（第２の実施形態）
次いで、図５および図６に基づいて、本発明の第２の実施形態にかかる情報処理部１００による番組記録処理について説明する。本実施形態にかかる情報処理装置は第１の実施形態と同一の構成とすることができ、また各処理部の機能もほぼ同一であるが、情報処理部１００による番組記録処理が第１の実施形態と比較してシーンチェンジ点をテレビ番組の分割点とする点で相違する。そこで、以下では、主として本実施形態の情報処理部による番組記録処理について詳細に説明し、第１の実施形態の情報処理装置１と同一の構成および機能についての詳細な説明は省略する。なお、図５は、本実施形態にかかる情報処理部１００による番組記録処理を示すフローチャートである。図６は、本実施形態にかかる情報処理部１００による番組記録処理を説明する説明図である。
【００５５】
＜番組記録処理＞
本実施形態にかかる情報処理装置にて録画されたコンテンツデータを記憶媒体へ記録するため、まず、ユーザは、第１の実施形態と同様に録画されたコンテンツデータから記憶媒体へ記録する１または２以上のコンテンツデータを選択する。そして、選択されたテコンテンツデータを記憶媒体へ記録する記録指示が入力部１４０から入力されると、本実施形態にかかる情報処理部１００による番組記録処理が開始される。
【００５６】
本実施形態にかかる情報処理部１００による番組記録処理は、図５に示すように、まず、先頭コンテンツの再生時間を取得する（ステップＳ２００）。再生時間取得部１５４は、ユーザが記憶媒体に記録するものとして選択したコンテンツデータのうち、最初に記憶媒体へ記録するコンテンツデータの再生時間を録画情報記憶部１７０から取得する。
【００５７】
次いで、記憶媒体に記録するコンテンツデータのシーンチェンジ点を取得する（ステップＳ２０２）。シーンチェンジ点は画像が大きく変化する位置であって、解析部１３０は画像データの映像や音声に基づいてシーンチェンジ点を抽出する。シーンチェンジ点の抽出は、既存の手法を用いて行うことができる。これにより、例えば、ニュース番組においてスタジオでの放送から外部からの中継放送へ切り替わる点がシーンチェンジ点として抽出される。このように、シーンチェンジ点は、コンテンツデータの内容が切り替わる可能性が高い点であるといえる。
【００５８】
ステップＳ２０２にて取得したシーンチェンジ点は、コンテンツデータの分割点の候補として用いられる。解析部１３０は、コンテンツデータにおけるシーンチェンジ点の位置を例えばコンテンツデータの再生開始位置からの経過時間によって表し、録画情報記憶部１７０に記録している。残存時間取得部１５２は、録画情報記憶部１７０から記憶媒体に記録するコンテンツデータのシーンチェンジ点を取得する。そして、今点を最初に記憶媒体に録画するコンテンツデータの先頭に設定する（ステップＳ２０４）。
【００５９】
さらに、コンテンツデータの再生時間が記憶媒体の残存時間より大きいか否かを判定する（ステップＳ２０６）。再生時間取得部１５４は、ステップＳ２００にて録画情報記憶部１７０から当該コンテンツデータの再生時間を取得する。そして、比較部１５６は、残存時間取得部１５２により取得した残存時間と再生時間取得部１５４により取得したコンテンツデータの再生時間とを比較する。
【００６０】
ステップＳ２０６にてコンテンツデータの再生時間が残存時間以内であると判定した場合には、現在のコンテンツデータの再生時間を残存時間から除算した時間を新たな残存時間として設定する（ステップＳ２０８）。そして、次に記憶媒体に記録するコンテンツデータが存在するか否かを判定する（ステップＳ２１０）。次のコンテンツデータが存在する場合には、今点を次のコンテンツデータの先頭に設定し（ステップＳ２１２）、ステップＳ２０６の処理へ戻る。一方、次のコンテンツデータが存在しない場合には、処理を終了する。
【００６１】
ステップＳ２０６にてコンテンツデータの再生時間が残存時間より大きい場合には、記憶媒体内に当該コンテンツデータを収めることができないため、当該コンテンツデータを分割する位置を示す分割点を設定する（ステップＳ２１４）。本実施形態において、分割点はコンテンツデータの特徴点であるシーンチェンジ点から決定される。シーンチェンジ点に分割点を設定することにより、コンテンツデータを内容が切り替わる位置で分割することができる。
【００６２】
このとき、本実施形態の番組記録処理では、記憶媒体の残存時間の終了点から分割期待範囲内に設定されているシーンチェンジ点から分割点を決定する。ここで、分割期待範囲とは、記憶媒体に記録可能な残存時間の終了点から遡って設定された所定の時間であって、例えば約１分（約１３０ＭＢ）とすることができる。分割点を分割期待範囲に設けることにより、記憶媒体において所定の容量（総記録可能容量から分割期待範囲の容量を除いた容量）については必ず情報が記録される。したがって、記憶媒体になるべく多くの情報を記憶することができ、記憶媒体を有効活用することができる。
【００６３】
その後、決定した分割点を今点に設定する（ステップＳ２１６）。そして、次の記憶媒体の書き込み可能時間を残存時間に設定し、ステップＳ２０６の処理へ戻る。このとき、ステップＳ２０６では、分割されたテレビ番組のうち先の記憶媒体に記録されなかった部分の再生時間と次の記憶媒体の残存時間とを比較し、再生時間が残存時間内に収まるか否かを判定することになる。このように、ステップＳ２００〜Ｓ２１８の処理を行うことにより、１または２以上のコンテンツデータを記憶媒体に効率よく記録することができ、複数の記憶媒体にまたがって記録される場合にもコンテンツデータを内容の区切りのよい位置で自動的に分割することができる。
【００６４】
以上、本実施形態にかかる情報処理部１００による番組記録処理について説明した。ここで、本実施形態の番組記録処理についての一例を図６に示す。図６に示すように、コンテンツデータとして２つのテレビ番組（番組Ａおよび番組Ｂ）を記憶媒体である例えば光ディスクに記録するとする。まず、１枚目の光ディスクの書き込み可能時間を残存時間とし、２つの番組のうち最初に光ディスクへ記録する番組Ａの再生時間を取得する。このとき、番組Ａの再生時間と光ディスクの残存時間とを比較すると、番組Ａの再生時間は残存時間よりも小さいため、番組Ａは１枚目の光ディスクにすべて記録できることがわかる。したがって、１枚目の光ディスクの残存時間を元の残存時間から番組Ａの再生時間を除算した時間に設定し、光ディスクに記録する次の番組Ｂの先頭を今点として、光ディスクの残存時間と番組Ｂの再生時間とを比較する。
【００６５】
番組Ｂの再生時間と光ディスクの残存時間とを比較すると、番組Ｂの再生時間は残存時間より大きいため、番組Ｂは１枚目の光ディスクにすべて記録できない。このため、番組Ｂを分割する分割点が決定される。ここで、本実施形態においては分割期待範囲内に存在するシーンチェンジ点を分割点として決定するところ、図６に示すように、番組Ｂには４つのシーンチェンジ点が存在し、このうちシーンチェンジ点Ａ〜Ｃが光ディスクの残存時間内に存在する。そこで、１枚目の光ディスクになるべく多くの情報を記録するため、終了点から遡って最も近い位置にあるシーンチェンジ点Ｃを分割点とする。また、シーンチェンジ点で分割されることにより、コンテンツデータの内容の区切りのよい位置において番組Ｂを分割することができる。
【００６６】
番組Ｂをシーンチェンジ点Ｃで分割することにより、１枚目の光ディスクには番組Ａのすべてと番組Ｂの再生開始位置からシーンチェンジ点Ｃの直前までが記録される。そして、２枚目の光ディスクの残存時間に対して番組Ｂのシーンチェンジ点Ｃから再生終了位置までの再生時間が収まるか否かを判定する。番組Ｂのシーンチェンジ点Ｃから再生終了位置までの再生時間が２枚目の光ディスクの残存時間より小さい場合には、番組Ｂのシーンチェンジ点Ｃから再生終了位置までは２枚目の光ディスクに記録される。
【００６７】
以上、第２の実施形態にかかる情報処理装置１およびコンテンツデータを記憶媒体に記録する番組記録処理について説明した。本実施形態によれば、複数の記憶媒体にまたがって記録されるコンテンツデータの分割点をシーンチェンジ点に設定する。このとき、記憶媒体の残存時間の終了点から遡って設定された分割期待範囲であって、終了点から最も近い位置に存在するシーンチェンジ点を分割点とする。これにより、記憶媒体をより有効活用することができ、かつコンテンツデータの内容が切り替わる位置で分割することができる。
（第３の実施形態）
次いで、図７および図８に基づいて、本発明の第３の実施形態にかかる情報処理部１００による番組記録処理について説明する。本実施形態にかかる情報処理装置は第１の実施形態と同一の構成とすることができ、また各処理部の機能もほぼ同一であるが、情報処理部１００による番組記録処理が第１の実施形態と比較してコマーシャルメッセージ区間（以下、「ＣＭ区間」とする。）をコンテンツデータの分割点とする点で相違する。そこで、以下では、主として本実施形態の情報処理部による番組記録処理について詳細に説明し、第１の実施形態の情報処理装置と同一の構成および機能についての詳細な説明は省略する。なお、図７は、本実施形態にかかる情報処理部１００による番組記録処理を示すフローチャートである。図８は、本実施形態にかかる情報処理部１００による番組記録処理を説明する説明図である。
【００６８】
＜番組記録処理＞
本実施形態にかかる情報処理装置にて録画されたコンテンツデータを記憶媒体へ記録するため、まず、ユーザは、第１の実施形態と同様に録画されたコンテンツデータから記憶媒体へ記録する１または２以上のコンテンツデータを選択する。そして、選択されたテコンテンツデータを記憶媒体へ記録する記録指示が入力部１４０から入力されると、本実施形態にかかる情報処理部１００による番組記録処理が開始される。
【００６９】
本実施形態にかかる情報処理部１００による番組記録処理は、図７に示すように、まず、先頭コンテンツの再生時間を取得する（ステップＳ３００）。再生時間取得部１５４は、ユーザが記憶媒体に記録するものとして選択したコンテンツデータのうち、最初に記憶媒体へ記録するコンテンツデータの再生時間を録画情報記憶部１７０から取得する。
【００７０】
次いで、記憶媒体に記録するコンテンツデータのＣＭ区間を取得する（ステップＳ３０２）。ＣＭ区間とは、コンテンツデータの合間に挿入された付属情報であるコマーシャルメッセージの区間である。解析部１３０は、ネットワークから予め提供されるコンテンツデータ内でのＣＭ区間の概略位置および無音地帯に基づいて、コンテンツデータからＣＭ区間を抽出する。
【００７１】
ステップＳ３０２にて取得したＣＭ区間は、コンテンツデータの分割点の候補として用いられる。解析部１３０は、コンテンツデータにおけるＣＭ区間の位置を例えばコンテンツデータの再生開始位置からの経過時間によって表し、録画情報記憶部１７０に記録している。残存時間取得部１５２は、録画情報記憶部１７０から記憶媒体に記録するコンテンツデータのＣＭ区間を取得する。そして、今点を最初に記憶媒体に録画するコンテンツデータの先頭に設定する（ステップＳ３０４）。
【００７２】
さらに、コンテンツデータの再生時間が記憶媒体の残存時間より大きいか否かを判定する（ステップＳ３０６）。再生時間取得部１５４は、ステップＳ３００にて録画情報記憶部１７０から当該コンテンツデータの再生時間を取得する。そして、比較部１５６は、残存時間取得部１５２により取得した残存時間と再生時間取得部１５４により取得した再生時間とを比較する。
【００７３】
ステップＳ３０６にてコンテンツデータの再生時間が残存時間以内であると判定した場合には、現在のコンテンツデータの再生時間を残存時間から除算した時間を新たな残存時間として設定する（ステップＳ３０８）。そして、次に記憶媒体に記録するコンテンツデータが存在するか否かを判定する（ステップＳ３１０）。次のコンテンツデータが存在する場合には、今点を次のコンテンツデータの先頭に設定し（ステップＳ３１２）、ステップＳ３０６の処理へ戻る。一方、次のコンテンツデータが存在しない場合には、処理を終了する。
【００７４】
ステップＳ３０６にてコンテンツデータの再生時間が残存時間より大きい場合には、記憶媒体内に当該コンテンツデータを収めることができないため、当該コンテンツデータを分割する位置を示す分割点を設定する（ステップＳ３１４）。本実施形態において、記憶媒体の分割期待範囲内に設定されているＣＭ区間から分割点を決定する。ここで、分割期待範囲とは、上述したように、記憶媒体に記録可能な残存時間の終了点から遡って設定された所定の時間である。分割点を分割期待範囲に設けることにより、記憶媒体になるべく多くの情報を記憶することができ、記憶媒体を有効活用することができる。
【００７５】
ここで、ＣＭ区間の内容はコンテンツデータの内容と関連性が低いため、ＣＭ区間でコンテンツデータが分割されても問題ないと考えられる。したがって、分割点決定部１５８は、ＣＭ区間内の任意の位置に分割点を設定することができる。このとき、記憶媒体を有効活用するためには、ＣＭ区間の最終点を分割点することがよい。また、記憶媒体の残存時間の終了点がＣＭ区間内に存在するときは、記憶媒体の残存時間の終了点に対応するＣＭ区間の位置を分割点としてもよい。さらに、ＣＭ区間が不要である場合には、ＣＭ区間を除く主情報のみを記憶媒体に記録してもよい。
【００７６】
ここで、分割期待範囲内に特徴点であるＣＭ区間が存在しない場合も考えられる。このとき、例えば、チャプター点やシーンチェンジ点などの他の特徴点を分割点の候補としてもよい。すなわち、まず、分割期待範囲内にＣＭ区間が存在するか否かを判定し、ＣＭ区間が存在する場合にはＣＭ区間から分割点を決定する。一方、分割期待範囲内にＣＭ区間が存在しない場合には、他の特徴点から分割点を決定する。かかるルールはユーザが予め設定することができる。例えば、コンテンツデータがテレビ番組である場合、ＣＭ区間、チャプター点、シーンチェンジ点の順に分割点を決定するという優先順位を設定する。これにより、コンテンツデータをなるべく意味のある位置で分割することができる。なお、複数の特徴点について分割期待範囲内に存在するかを優先順位の順に確認したがいずれも分割期待範囲内に存在しない場合には、例えば、分割期待範囲外に存在し終了点に最も近い特徴点を分割点としたり、記憶媒体に記録可能な限り記録したりするようにしてもよい。
【００７７】
その後、決定した分割点を今点に設定する（ステップＳ３１６）。そして、次の記憶媒体の書き込み可能時間を残存時間に設定し、ステップＳ３０６の処理へ戻る。このとき、ステップＳ３０６では、分割されたコンテンツデータのうち先の記憶媒体に記録されなかった部分の再生時間と次の記憶媒体の残存時間とを比較し、再生時間が残存時間内に収まるか否かを判定することになる。このように、ステップＳ３００〜Ｓ３１８の処理を行うことにより、１または２以上のコンテンツデータを記憶媒体に効率よく記録することができ、複数の記憶媒体にまたがって記録される場合にもコンテンツデータの内容の区切りのよい位置で自動的に分割することができる。
【００７８】
以上、本実施形態にかかる情報処理部１００による番組記録処理について説明した。例ここで、本実施形態の番組記録処理についての一例を図８に示す。図８に示すように、２つのテレビ番組（番組Ａおよび番組Ｂ）を記憶媒体である例えば光ディスクに記録するとする。１枚目の光ディスクの書き込み可能時間を残存時間とし、２つの番組のうち最初に光ディスクへ記録する番組Ａの再生時間を取得する。このとき、番組Ａの再生時間と光ディスクの残存時間とを比較すると、番組Ａの再生時間は残存時間よりも小さいため、番組Ａは１枚目の光ディスクにすべて記録できることがわかる。したがって、１枚目の光ディスクの残存時間を元の残存時間から番組Ａの再生時間を除算した時間に設定し、光ディスクに記録する次の番組Ｂの先頭を今点として、光ディスクの残存時間と番組Ｂの再生時間とを比較する。
【００７９】
番組Ｂの再生時間と光ディスクの残存時間とを比較すると、番組Ｂの再生時間は残存時間より大きいため、番組Ｂは１枚目の光ディスクにすべて記録できない。このため、番組Ｂを分割する分割点が決定される。ここで、本実施形態において分割点は分割期待範囲内に存在するＣＭ区間に設定されるところ、図８に示すように、番組Ｂには４つのＣＭ区間が存在しており、このうちＣＭ区間ＢおよびＣＭ区間Ｃが分割期待範囲内に存在している。複数のＣＭ区間が分割範囲内に存在する場合には、例えば終了点に最も近いＣＭ区間（図８ではＣＭ区間Ｃ）の終了位置に分割点を設定することができる。これにより、１枚目の光ディスクになるべく多くの情報を記録することができる。また、ＣＭ区間に分割点が設定されることにより、コンテンツデータの内容の区切りのよい位置において番組Ｂを分割することができる。
【００８０】
番組ＢをＣＭ区間Ｃで分割することにより、１枚目の光ディスクには番組Ａのすべてと番組Ｂの再生開始位置からＣＭ区間Ｃの直前までが記録される。そして、２枚目の光ディスクの残存時間に対して番組ＢのＣＭ区間Ｃから再生終了位置までの再生時間が収まるか否かを判定する。番組ＢのＣＭ区間Ｃから再生終了位置までの再生時間が２枚目の光ディスクの残存時間より小さい場合には、番組ＢのＣＭ区間Ｃから再生終了位置までは２枚目の光ディスクに記録される。
【００８１】
以上、第３の実施形態にかかる情報処理装置およびコンテンツデータを記憶媒体に記録する番組記録処理について説明した。本実施形態によれば、複数の記憶媒体にまたがって記録されるコンテンツデータの分割点をＣＭ区間に設定する。このとき、記憶媒体の残存時間の終了点から遡って設定された分割期待範囲であって、終了点から最も近い位置に存在するＣＭ区間内に分割点を設定する。これにより、記憶媒体を有効活用することができ、かつコンテンツデータの内容の区切りのよい位置で分割することができる。
【００８２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００８３】
例えば、上記実施形態では、情報処理装置１は番組編集部１２０および解析部１３０を備えたが、本発明はかかる例に限定されない。例えば、情報処理装置１は、番組編集部１２０または解析部１３０の少なくともいずれか一方を備えていればよい。
【図面の簡単な説明】
【００８４】
【図１】本発明の第１の実施形態にかかる情報処理装置のハードウェア構成を示すブロック図である。
【図２】同実施形態にかかる番組記録処理を行う情報処理部の構成を示す機能ブロック図である。
【図３】同実施形態にかかる情報処理部による番組記録処理を示すフローチャートである。
【図４】同実施形態にかかる情報処理部による番組記録処理を説明する説明図である。
【図５】本発明の第２の実施形態にかかる情報処理部による番組記録処理を示すフローチャートである。
【図６】同実施形態にかかる情報処理部による番組記録処理を説明する説明図である。
【図７】本発明の第３の実施形態にかかる情報処理部による番組記録処理を示すフローチャートである。
【図８】同実施形態にかかる情報処理部による番組記録処理を説明する説明図である。
【符号の説明】
【００８５】
１        情報処理装置
１００    情報処理部
１１０    番組録画部
１２０    番組編集部
１３０    解析部
１４０    入力部
１５０    記録制御部
１５２    残存時間取得部
１５４    再生時間取得部
１５６    比較部
１５８    分割点決定部
１６０    記録部
１７０    録画情報記憶部
【図１】
2009272700.tif 000003
【図２】
2009272700.tif 000004
【図３】
2009272700.tif 000005
【図４】
2009272700.tif 000006
【図５】
2009272700.tif 000007
【図６】
2009272700.tif 000008
【図７】
2009272700.tif 000009
【図８】
2009272700.tif 000010